(57)【特許請求の範囲】
【請求項１】
矩形パネルを縦に少なくとも２枚、横に少なくとも２枚、並べて支持し、大型パネルを設置するためのパネル支持装置であって、
前記矩形パネルを垂直方向に少なくとも２枚並べて支持する第１支持手段と、
前記第１支持手段に隣接する位置において、前記矩形パネルを垂直方向に少なくとも２枚並べて支持する第２支持手段と、
前記第２支持手段を、前記矩形パネルの前後方向にスライドさせるガイドレールと、
を備えたパネル支持装置。
【請求項２】
前記第１支持手段および前記第２支持手段に沿って前記矩形パネルを昇降させる昇降手段をさらに備えることを特徴とする請求項１に記載のパネル支持装置。
【請求項３】
前記矩形パネルを前記昇降手段に係合する係合手段をさらに備えることを特徴とする請求項２に記載のパネル支持装置。
【請求項４】
前記昇降手段は、手動ウインチおよび電動ウインチのうち少なくとも１つを含むことを特徴とする請求項２または３に記載のパネル支持装置。
【請求項５】
請求項１に記載のパネル支持装置を載置する荷台を有することを特徴とする大型パネル設置装置。
【請求項６】
前記荷台は、トレーラであることを特徴とする請求項５に記載の大型パネル設置装置。
【発明の詳細な説明】
【技術分野】
【０００１】
本発明は、パネル支持装置および大型パネル設置装置に関する。
【背景技術】
【０００２】
上記技術分野において、特許文献１には、縦に３枚並べたパネルのうち１枚のパネルを固定して、他の２枚のパネルを上下に移動する技術が開示されている。
【先行技術文献】
【特許文献】
【０００３】
【特許文献１】特開２０１２−１８９８３０号公報
【発明の概要】
【発明が解決しようとする課題】
【０００４】
しかしながら、上記文献に記載の技術では、大型パネルを短時間で設置することができなかった。
【０００５】
本発明の目的は、上述の課題を解決する技術を提供することにある。
【課題を解決するための手段】
【０００６】
上記目的を達成するため、本発明に係るパネル支持装置は、
矩形パネルを縦に少なくとも２枚、横に少なくとも２枚、並べて支持し、大型パネルを設置するためのパネル支持装置であって、
前記矩形パネルを垂直方向に少なくとも２枚並べて支持する第１支持手段と、
前記第１支持手段に隣接する位置において、前記矩形パネルを垂直方向に少なくとも２枚並べて支持する第２支持手段と、
前記第２支持手段を、前記矩形パネルの前後方向にスライドさせるガイドレールと、
を備えた。
【発明の効果】
【０００７】
本発明によれば、大型パネルを短時間で設置することができる。
【図面の簡単な説明】
【０００８】
【図１】本発明の第１実施形態に係るパネル支持装置の機能構成を示すブロック図である。
【図２】本発明の第２実施形態に係るパネル支持装置の構成の概略を示す斜視図である。
【図３】本発明の第２実施形態に係るパネル支持装置の構成を示す正面図である。
【図４】本発明の第２実施形態に係るパネル支持装置の構成を示す上面図である。
【図５Ａ】本発明の第２実施形態に係るパネル支持装置の支持部の側面図である。
【図５Ｂ】本発明の第２実施形態に係るパネル支持装置の支持部の側面図である。
【図５Ｃ】本発明の第２実施形態に係るパネル支持装置の支持部の側面図である。
【図６】本発明の第２実施形態に係るパネル支持装置の支持部にパネルを取り付ける様子を示す斜視図である。
【図７】本発明の第２実施形態に係るパネル支持装置の支持部にパネルを取り付ける様子を示す上面図である。
【図８】本発明の第２実施形態に係るパネル支持装置の支持部にパネルを取り付ける様子を示す斜視図である。
【図９】本発明の第２実施形態に係るパネル支持装置の支持部にパネルを取り付ける様子を示す上面図である。
【図１０】本発明の第２実施形態に係るパネル支持装置にパネルを取り付け、ストッパーで固定する様子を示す側面図である。
【図１１】本発明の第２実施形態に係るパネル支持装置のスライダにパネルを取り付ける様子を示す背面図である。
【図１２】本発明の第２実施形態に係るパネルの背面に設けられたアタッチメントの構成を示す斜視図である。
【図１３】本発明の第２実施形態に係るスライダの動作の概略を示す側面図である。
【図１４Ａ】本発明の第２実施形態に係るパネル支持装置にパネルを取り付け、昇降させる様子を示す側面図である。
【図１４Ｂ】本発明の第２実施形態に係るパネル支持装置にパネルを取り付け、昇降させる様子を示す側面図である。
【図１４Ｃ】本発明の第２実施形態に係るパネル支持装置にパネルを取り付け、昇降させる様子を示す側面図である。
【図１４Ｄ】本発明の第２実施形態に係るパネル支持装置にパネルを取り付け、昇降させる様子を示す側面図である。
【図１５Ａ】パネルを横に２枚並べた場合の本発明の第２実施形態に係るパネル支持装置の第１支持部および第２支持部の配置パターンを示す模式図である。
【図１５Ｂ】パネルを横に４枚並べた場合の本発明の第２実施形態に係るパネル支持装置の第１支持部および第２支持部の配置パターンを示す模式図である。
【図１５Ｃ】パネルを横に４枚並べた場合の本発明の第２実施形態に係るパネル支持装置の第１支持部および第２支持部の配置パターンを示す模式図である。
【図１５Ｄ】パネルを横に５枚並べた場合の本発明の第２実施形態に係るパネル支持装置の第１支持部および第２支持部の配置パターンを示す模式図である。
【図１５Ｅ】パネルを横に５枚並べた場合の本発明の第２実施形態に係るパネル支持装置の第１支持部および第２支持部の配置パターンを示す模式図である。
【図１６Ａ】本発明の第３実施形態に係るパネル支持装置の昇降手段の他の構成を示す背面図である。
【図１６Ｂ】本発明の第３実施形態に係るパネル支持装置の昇降手段のさらに他の構成を示す背面図である。
【発明を実施するための形態】
【０００９】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１０】
［第１実施形態］
本発明の第１実施形態としてのパネル支持装置１００について、図１を用いて説明する。図１に示すように、パネル支持装置１００は、支持部１０１、１０２と支持部移動部１０３とを含む。支持部１０１、１０２は、矩形パネル１０４を垂直方向に少なくとも２枚並べて支持する。支持部移動部１０３は、支持部１０２を矩形パネル１０４の前後方向に移動させる。
【００１１】
本実施形態によれば、第２支持部１０２が移動可能な構成となっているので、十分な作業スペースが確保でき、マルチパネルなどの大型パネルを短時間で設置することができる。
【００１２】
［第２実施形態］
次に本発明の第２実施形態に係るパネル支持装置２００について、図２〜図５を用いて説明する。図２に示したように、パネル支持装置２００は、自動車などの牽引車２４０に牽引されるトレーラ２２０上に設置されている。パネル支持装置２００は、支持部２０１、２０２を有し、各支持部２０１、２０２にはそれぞれ３枚のパネル２３０が取り付けられている。合計９枚のパネル２３０により３×３の大型パネル２３１が設置されている。また、パネル支持装置２００は、トレーラ２２０から取り外して使用することもできる。パネル支持装置２００を各パーツごとに分解して、トレーラ２２０で運搬することにより、パネル支持装置２００を様々な場所へ運ぶことができる。
【００１３】
図３は、パネル支持装置２００の正面図であり、図４は、パネル支持装置２００の上面図である。図示したように、トレーラ２２０上には、左側から順に、支持部２０１が配置されており、この支持部２０１に隣接する位置（右隣）に支持部２０２が配置されている。さらに、この支持部２０２に隣接する位置（右隣）に支持部２０１が配置されている。すなわち、左右両側に支持部２０１が配置されており、中央部に支持部２０２が配置されている。
【００１４】
支持部２０１、２０２には、縦方向にパネル２３０が隙間なく並べられている。各パネル２３０は、支持部２０１、２０２に取り付けられることにより支持されている。また、横方向にもパネル２３０が隙間なく並ぶように、支持部２０１、２０２の配置が決定されている。全体としてパネル２３０同士が縦横に隙間なく並べられ、大型パネル２３１を設置している。
【００１５】
支持部２０２とトレーラ２２０との間にはガイドレール２２４が設けられており、支持部２０２がこのガイドレール２２４上を移動することにより、パネル２３０の前後方向（図４の矢印方向）にスライドする。つまり、支持部２０２は、パネル２３０の表示面に垂直な線に沿った方向に移動する。
【００１６】
次に、図５Ａ〜図５Ｃを用いて、支持部２０１、２０２の構成について説明する。図５Ａは、支持部２０１の側面図であり、図５Ｂおよび図５Ｃは、支持部２０２の側面図である。支持部２０１とスライド移動可能な支持部２０２とは、基本的な構成は同じである。支持部２０１、２０２は、基台２１１、２２１、支柱２１２、２２２および補助支柱２１３、２２３を備えている。図示したように、基台２１１、２２１に対して垂直に支柱２１２、２２２がねじ止めや溶接などの方法により接続されている。また、補助支柱２１３、２２３の上端部が支柱２１２、２２２の上側部分に、補助支柱２１３、２２３の下端部が基台２１１、２２１の後側部分にねじ止めや溶接などの方法により接続されている。さらに、支持部２０１、２０２には、パネル２３０を吊り上げたり、吊り下げたりするための手動ウインチ２６０が設けられている。手動ウィンチ２６０には、操作用のハンドル２６１が設けられている。
【００１７】
図５Ｂに示したように、移動する支持部２０２の基台２２１には、キャスター２７０が設けられており、キャスター２７０がガイドレール２２４上を滑走することにより、支持部２０２がパネル２３０の前後方向にスライドして移動する。
【００１８】
図５Ｂに示した例では、ガイドレール２２４を設けることにより支持部２０２をスライドさせていたが、図５Ｃに示したように、支持部２０２の基台２２１にタイヤ２８０を設けて、これにより支持部２０２を前後方向に移動させてもよい。なお、ここでは、ガイドレール２２４やタイヤ２８０を用いて支持部２０２の移動手段について説明したが、移動手段はこれらに限定されない。
【００１９】
なお、本実施形態では３×３の大型パネル２３１を用いてパネル支持装置２００の説明をしたが、パネルの枚数はこれに限定されない。例えば、３×４の大型パネル（１２枚のパネル２３０）や３×５の大型パネル（１５枚のパネル２３０）、４×４の大型パネル（１６枚のパネル２３０）など様々な変形例が含まれる。
【００２０】
さらに、本実施形態においては、パネル支持装置２００が、自動車などの牽引車２４０に牽引されるトレーラ２２０上に設置される例で説明したが、本実施形態はこれに限定されない。例えば、パネル支持装置２００は、トラックなどの荷台上に設置してもよいし、体育館や公民館などの屋内施設に持ち込んで設置してもよい。また、パネル支持装置２００は、屋内施設に限らず、公園や競技場などの屋外施設でも設置することができる。
【００２１】
次に、図６〜図９を用いて、パネル支持装置２００へのパネル２３０の取り付けの概略について説明する。まず、支持部２０１へのパネル２３０の取り付け方について、図６および図７を用いて説明する。どの支持部２０１、２０２からパネル２３０を取り付けるかについては、特に限定はない。ここでは図示したように、左側の支持部２０１と中央部の支持部２０２へのパネル２３０（合計６枚）の取り付けは既に終了しているものとして説明する。
【００２２】
本実施形態におけるパネル２３０は、大きさが６０インチで、重量が約５０ｋｇである。図示したように、２人の作業者２５０、２５１でパネル２３０を両側から持ち上げて支持部２０１へ取り付ける。この場合、中央の支持部２０２が後方へ移動しない場合には、２人の作業者２５０、２５１のうち左側の作業者２５０が、パネル２３０の左側を持つことができない。したがって、例えば、パネル２３０の正面側（または背面側）に回ってきて、パネル２３０を持ち上げなければならない。
【００２３】
作業者２５０は、例えば、パネル２３０の正面の中央部より左側の部分を持たなければならず、パネル２３０を２人の作業者２５０、２５１で持つ際のバランスが崩れ、非常に不安定となる。その結果、非常に高価なパネル２３０を落として、パネル２３０の画像表示面を傷つけたり、パネル２３０の故障を引き起こす可能性がある。
【００２４】
また、バランスを崩してパネル２３０を落とさないように作業しようとすると、２人の作業者２５０、２５１は、相当慎重に作業をしなければならず、迅速な作業は困難となる。また、迅速に作業をしようとすると、例えば、作業にあたる者の人数を増やすなどしなければならない。したがって、図示したように、右端の支持部２０１へのパネル２３０の取り付けの際には、作業者２５０の作業スペースを確保するために、中央の支持部２０２を後方に移動させておくと、作業者２５０の作業が非常にし易くなる。そして、右端の支持部２０１への３枚のパネル２３０の取り付けが完了したら、中央の支持部２０２を前方へ移動させると、大型パネル２３１が完成する。支持部２０２は、ガイドレール２２４上をスライドすることにより前後に移動する。
【００２５】
次に、図８および図９を用いて、左右両側の支持部２０１へのパネル２３０の取り付けが終了し、最後に、中央の支持部２０２へパネル２３０を取り付ける場合を説明する。左右両側の支持部２０１へのパネル２３０の取り付けの際には、作業者２５０、２５１の作業スペースを確保するため、中央の支持部２０２を後方へ移動させておく。そして、左右両側の支持部２０１へのパネル２３０（合計６枚）の取り付けが完了したら、後方へ移動させた支持部２０２をそのままの位置で、パネル２３０の取り付け作業を行なう。そして、支持部２０２への３枚のパネル２３０の取り付けが完了したら、中央の支持部２０２を前方に移動させると、大型パネル２３１が完成する。支持部２０２は、ガイドレール２２４上をスライドすることにより前後に移動する。
【００２６】
図示したように、支持部２０２を後方へ移動させておくと、支持部２０２の両側に十分な作業スペースを確保することができ、作業者２５０、２５１は、短時間でパネル２３０の取り付けが可能となる。本実施形態によれば、たった２人の作業者２５０、２５１で短時間で大型パネル２３１を完成させることができる。
【００２７】
次に、図１０を用いて、パネル２３０の支持部２０１による支持について説明する。図示の例では、パネル２３０が縦に３枚並べられている。各パネル２３０は、それぞれの固定位置、例えば、上段、中段、下段のいずれかの位置において、ストッパー２０７により、支持され固定されている。ストッパー２０７は、パネル２３０が取り付けられていないときには、同図左側に示したような状態にある。そして、パネル２３０を固定するときは、同図右側に示したように作業者２５０、２５１が、ストッパー２７０を回転させる。そうすると、ストッパー２７０の鉤型の部分が、パネル２３０の背面に設けられたアタッチメント２８０に引っ掛かることにより、パネル２３０が支持部２０１に固定され、支持される。同図では、支持部２０１を用いて説明をしたが、支持部２０２でもパネル２３０の固定の方法は同様である。
【００２８】
次に、図１１を用いてパネル２３０の吊り上げと吊り下げとについて説明する。図示したように、手動ウィンチ２６０にはワイヤ２６５が設けられている。ワイヤ２６５は、滑車２６４を経由して、スライダ２６２に接続されている。スライダ２６２には、突起部２６３が設けられている。そして、作業者２５０、２５１は、パネル２３０の背面に設けられたアタッチメント２８０をスライダ２６２の突起部２６３に引っ掛ける。これにより、パネル２３０とスライダ２６２が接続される。作業者２５０、２５１が、手動ウィンチ２６０のハンドル２６１を回転させて、手動ウィンチ２６０を動かしてワイヤ２６５を巻き上げ、または巻き下げると、パネル２３０が上下方向へ移動する。
【００２９】
次に、図１２を用いて、アタッチメント２８０の構成について説明する。図示したように、アタッチメント２８０には、スライダ２６２の突起部２６３が収まる収容部２８１が設けられている。詳細には、パネル２３０の背面とアタッチメント２８０との間には隙間が形成されており、この隙間が、収納部２８１、２８２となっている。収納部２８１には、スライダ２６２の突起部２６３が収まり、収納部２８２には、ストッパー２０７の鉤型の部分が収まる。これにより、パネル２３０とスライダ２６２とを確実に係合することができる。なお、パネル２３０とスライダ２６２との係合方法はこれに限定されない。スライダ２６２とアタッチメント２８０との少なくとも一方、例えば、スライダ２６２に磁石を設け、アタッチメント２８０の一部または全部を磁性部材で構成してもよい。また、アタッチメント２８０は、ねじ止めによりパネル２３０に固定されているが、パネル２３０への固定方法はこれに限定されるものではなく、様々な手法を用いることができる。
【００３０】
図１３は、スライダ２６２の動作の概略を示す図である。作業者２５０、２５１は、パネル２３０の背面に設けられたアタッチメント２８０の収納部２８１にスライダ２６２の突起部２６３（不図示）が嵌るように、パネル２３０をスライダ２６２に取り付ける。そして、作業者２５０、２５１が手動ウィンチ２６０のハンドル２６１を回転させて操作すると、手動ウィンチ２６０に連結されたワイヤ２６５が巻き上げられスライダ２６２が上昇する。スライダ２６２の上昇にともなってパネル２３０も上昇するので、作業者２５０、２５１は、足場を組むなどしてパネル２３０を高い位置まで持ち上げなくても、容易にパネル２３０を高い位置に設置することができる。ここでは、パネル２３０の昇降手段として手動ウィンチ２６０を用いて説明したが、昇降手段はこれに限定されない。例えば、電動ウインチやバランサー、油圧ジャッキ、スクリュージャッキ、空気圧シリンダ、油圧シリンダなどを用いてもよい。
【００３１】
次に、図１４Ａ〜図１４Ｄを用いて、縦に３枚パネルを並べた場合における、上段の位置へのパネル２３０の取り付け作業の詳細について説明する。作業者２５０、２５１は、まず、手動ウィンチ２６０のハンドル２６１を操作して、スライダ２６２を支持部２０１の下部にまで降ろしておく。そして、作業者２５０、２５１は、２人でパネル２３０の両側からパネル２３０を持ち上げて、予め下に降ろしておいたスライダ２６２にパネル２３０のアタッチメント２８０を引っ掛ける。２人の作業者２５０、２５１のうち１人が手動ウィンチ２６０のハンドル２６１を、例えば、時計回り（または反時計回り）に回転させる。そうすると、手動ウィンチ２６０によりワイヤ２６５が巻き上げられるので、ワイヤ２６５の巻き上げに伴ってパネル２３０が上昇し始める。作業者２５０がさらにハンドル２６１を操作し続けると、パネル２３０はさらに上昇する。パネル２３０が所望の位置に到達したら、作業者２５０は、ハンドル２６１の操作を止める。そして、ストッパー２０７を回転させて、パネル２３０にストッパー２０７をかける。ストッパー２０７をかけると、パネル２３０はその位置で支持され、固定される。同じ作業を２回繰り返すと、縦に３枚パネル２３０を並べることができる。これにより、パネル２３０の支持部２０１への取り付け作業は完了する。
【００３２】
これとは反対に、支持部２０１からパネル２３０を取り外す場合には、作業者２５０は、ストッパー２０７を解除して、ハンドル２６１を操作してパネル２３０を下まで降ろす。そして、２人の作業者２５０、２５１で、パネル２３０の両側からパネル２３０を持ち上げて、アタッチメント２８０とスライダ２６２の突起部２６３との係合を解除して、パネル２３０を支持部２０１から取り外す。なお、ここでは支持部２０１を用いてパネル２３０の取り付けを説明をしたが、支持部２０２でも同様である。
【００３３】
以上の説明では、縦横３×３の大型パネル２３１を用いて説明したが、例えば、３×４や３×５などの大型パネルであっても本実施形態を適用することができる。その場合の、支持部２０１、２０２の配置のパターンについて、図１５Ａ〜図１５Ｅを用いていくつか説明する。図１５Ａ〜図１５Ｅの説明においては、縦方向のパネル２３０の枚数については、何枚であっても変わりがない。したがって、ここでは横方向のパネル２３０の枚数に注目して説明する。
【００３４】
図１５Ａは、パネル２３０の枚数が２枚の場合の支持部１５０１、１５０２の配置を模式的に示した図である。同図において、支持部１５０１は移動しない支持部であり、支持部１５０２は移動する支持部である。この場合、左右いずれかの支持部が、移動する支持部１５０２であればよい。パネル２３０の枚数が２枚であれば、左右どちらかが移動可能であれば、作業者２５０、２５１の作業スペースを確保することができる。
【００３５】
図１５Ｂおよび図１５Ｃは、パネル２３０の枚数が４枚の場合の支持部１５０１、１５０２の配置を模式的に示した図である。図１５Ｂに示したように、中央の２つを移動する支持部１５０２とし、左右両側を移動しない支持部１５０１としてもよいし、図１５Ｃに示したように、支持部１５０１、１５０２を交互に配置してもよい。図１５Ｂの場合、例えば、左端の支持部１５０１にパネル２３０を取り付ける場合には、その右隣の支持部１５０２を後方へ移動させればよい。また、左から２番目の支持部１５０２にパネル２３０を取り付ける場合には、左から２番目の支持部１５０２を後方に移動して作業すればよい。そして、作業が完了したら、左から２番目の支持部１５０２を前方へ移動し、左から３番目の支持部１５０２を後方へ移動させて作業すればよい。図１５Ｃの場合は、２つの支持部１５０２を後方へ移動させた状態で、４つ全ての支持部１５０１、１５０２にパネル２３０を取り付ければよい。
【００３６】
図１５Ｄおよび図１５Ｅは、パネル２３０の枚数が５枚の場合の支持部１５０１、１５０２の配置を模式的に示した図である。図示したように、左から２番目と４番目の支持部を移動する支持部１５０２とし、残りを移動しない支持部１５０１としてもよい。また、これとは反対に、左から２番目と４番目の支持部を移動しない支持部１５０１とし、残りを移動する支持部１５０２としてもよい。例えば、図１５Ｄの場合は、図１５Ｃの場合と同様に、２つの支持部１５０２を後方へ移動させた状態で、５つ全ての支持部１５０１、１５０２にパネル２３０を取り付ければよい。図１５Ｅの場合も同様である。
【００３７】
以上、横方向のパネル２３０の枚数が２〜５枚の場合について説明してきたが、横方向のパネル２３０の枚数が６枚以上の場合であっても、基本的な考え方は変わらないので説明は省略する。しかしながら、横方向のパネル２３０の枚数が６枚以上の場合も本発明の範囲に含まれることは勿論である。
【００３８】
本実施形態によれば、大規模な足場を組んだりすることなく、２人の作業者により、短時間で大型パネル２３１を設置することができる。さらに、パネル支持装置２００は、トレーラ２２０から取り外すことができるので、屋内屋外を問わず大型パネル２３１を設置することができる。
【００３９】
また、本実施形態の説明では、大型パネル２３１をトレーラ２２０などの荷台の前方の位置に設置する場合について説明してきたが、大型パネル２３１の設置位置はこれに限定されない。本実施形態のパネル支持装置２００は、例えば、トレーラ２２０の真ん中の位置や後方の位置に設置する場合についても適用できる。真ん中の位置に大型パネル２３１を設置する場合には、支持部２０２を前方または後方のいずれかの方向に移動させればよい。また、後方の位置に大型パネル２３１を設置する場合には、支持部２０２を前方へ移動させればよい。
【００４０】
［第３実施形態］
次に本発明の第３実施形態に係るパネル支持装置３００について、図１６Ａおよび図１６Ｂを用いて説明する。上記第２実施形態と比べると、図１６Ａに示した例では、手動ウィンチ３０１、３０２、３０３が３台あり、ストッパー２０７がない点で異なる。また、図１６Ｂに示した例では、手動ウィンチ３０１、３０２が２台あり、下段の手動ウィンチがなく、下段のパネル２３０はストッパー２０７で固定する点で異なる。なお、図１１と同様の構成には、同じ参照番号を付して説明を省略する。
【００４１】
図１６Ａに示したように、手動ウィンチ３０１、３０２、３０３は、ワイヤ３０７、３０８、３０９を介して各スライダ３１０、３１１、３１２と連結している。ワイヤ３０７、３０８、３０９は、滑車３０４、３０５、３０６を通してスライダ３１０、３１１、３１２と繋がっている。
【００４２】
例えば、上段のパネル２３０を支持部２０１へ取り付ける場合には、まず、スライダ３１０とパネル２３０の背面に設けられたアタッチメント２８０とを係合させて、パネル２３０をスライダ３１０に取り付ける。そして、作業者２５０、２５１は、スライダ３１０に対応する手動ウィンチ３０１のハンドル２６１を操作して、パネル２３０を上昇させる。パネル２３０が上段の位置まで来たら、手動ウィンチ３０１のハンドル２６１の操作を止めて、ハンドル２６１がこれ以上動かないように不図示の手段によりハンドル２６１を固定する。つまり、パネル２３０はワイヤ３０７により吊り下げられたままの状態で支持部２０１に取り付けられることになる。同様の作業を中段のパネル２３０、下段のパネル２３０についても繰り返すことにより、パネル２３０を３枚縦に並べることができる。
【００４３】
本実施形態によれば、上段、中段、下段のパネル２３０のそれぞれについて、個別に手動ウィンチ３０１、３０２、３０３を設けるので、パネル２３０を短時間で設置できるとともにパネル２３０の位置の微調整も可能となる。なお、本実施形態においては、縦方向にパネル２３０を３枚並べる例について説明したが、パネル２３０の枚数はこれに限定されるものではない。
【００４４】
また、図１６Ｂに示したように、手動ウィンチ３０１、３０２を２台設ける構成としてもよい。上段、中段のパネル２３０については、この２台の手動ウィンチ３０１、３０２で吊り上げを行ない、所定の高さ位置までもっていく。そして、下段のパネル２３０については、手動ウィンチでの昇降作業は行なわず、ストッパー２０７で所定の位置に固定する。
【００４５】
したがって、図１６Ｂに示した例では、以下の流れで３枚のパネル２３０を設置する。まず、上段、中段のパネル２３０を手動ウインチ３０１、３０２で所定の高さ位置まで吊り上げて、一旦その位置で仮止めしておく。次に、下段のパネル２３０を取り付け位置までもっていき、ストッパー２０７を掛けてパネル２３０の位置を固定する。そして、下段のパネル２３０の位置を基準として、上段および中段のパネル２３０の位置を手動ウィンチ３０１、３０２で微調整する。上段および中段のパネル２３０の高さ位置の微調整により、３枚のパネル２３０が隙間なく縦に並ぶようにする。本実施形態によれば、手動ウィンチを２台としたので、手動ウィンチを３台設けるよりも、パネル支持装置３００のパネル昇降手段の機構が簡素になる。
【００４６】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせた装置も、本発明の範疇に含まれる。
【図１】
0005931136.tif 000002
【図２】
0005931136.tif 000003
【図３】
0005931136.tif 000004
【図４】
0005931136.tif 000005
【図５Ａ】
0005931136.tif 000006
【図５Ｂ】
0005931136.tif 000007
【図５Ｃ】
0005931136.tif 000008
【図６】
0005931136.tif 000009
【図７】
0005931136.tif 000010
【図８】
0005931136.tif 000011
【図９】
0005931136.tif 000012
【図１０】
0005931136.tif 000013
【図１１】
0005931136.tif 000014
【図１２】
0005931136.tif 000015
【図１３】
0005931136.tif 000016
【図１４Ａ】
0005931136.tif 000017
【図１４Ｂ】
0005931136.tif 000018
【図１４Ｃ】
0005931136.tif 000019
【図１４Ｄ】
0005931136.tif 000020
【図１５Ａ】
0005931136.tif 000021
【図１５Ｂ】
0005931136.tif 000022
【図１５Ｃ】
0005931136.tif 000023
【図１５Ｄ】
0005931136.tif 000024
【図１５Ｅ】
0005931136.tif 000025
【図１６Ａ】
0005931136.tif 000026
【図１６Ｂ】
0005931136.tif 000027